(57)【要約】【課題】各店舗向けのコンテナに貼付するために発行されたラベルを、該当するコンテナに確実に貼付することができるソーティングシステムを提供する。【解決手段】各集品部３に、コンテナＸへの商品の投入個数あるいは当該集品部３に対応する店舗に関する情報を表示する個数表示器８と、全店舗の仕分け作業が終了したときに押下して納品データラベルＹの発行を指示する作業終了ボタン１２とを備える。そして、作業終了ボタン１２を押下することにより納品データラベルＹの発行が指示されたときに、その納品データラベルＹが貼付されるコンテナＸが配置された集品部３の個数表示器８に当該店舗に関する情報を表示させる。【選択図】図２
2009023835.tif 000002
【特許請求の範囲】
【請求項１】
各店舗に対応付けられてコンテナが配置された集品部と、コンテナに貼付されるラベルを発行するラベル発行手段と、ラベルの発行を指示するラベル発行指示手段とを有し、各店舗からの受注商品を前記集品部に配置されたコンテナに仕分けるソーティングシステムであって、
各集品部に設けられて当該集品部に対応する店舗に関する情報を表示する店舗情報表示手段と、
前記ラベル発行指示手段によりラベルの発行が指示されたときに、そのラベルが貼付されるコンテナが配置された集品部の店舗情報表示手段に当該店舗に関する情報を表示させる制御手段とが備えられていることを特徴とするソーティングシステム。
【請求項２】
前記請求項１に記載のソーティングシステムにおいて、
全店舗の仕分け作業が終了したときに、仕分け作業の終了を指示する全店舗作業終了指示手段が設けられており、
前記ラベル発行指示手段は、該全店舗作業終了指示手段で構成されていることを特徴とするソーティングシステム。
【請求項３】
前記請求項１に記載のソーティングシステムにおいて、
各集品部に、店舗ごとの仕分け作業が終了したときに、仕分け作業の終了を指示する店舗別作業終了指示手段が設けられており、
前記ラベル発行指示手段は、該店舗別作業終了指示手段で構成されていることを特徴とするソーティングシステム。
【請求項４】
前記請求項１に記載のソーティングシステムにおいて、
各集品部に、投入された商品でコンテナが満杯状態となったときに、その満杯状態を指示する満杯指示手段が設けられており、
前記ラベル発行指示手段は、該満杯指示手段で構成されていることを特徴とするソーティングシステム。
【請求項５】
前記請求項１から請求項４のいずれかに記載のソーティングシステムにおいて、
各集品部に、コンテナへの商品の投入個数を表示する個数表示器が備えられており、
前記店舗情報表示手段は、該個数表示器で構成されていることを特徴とするソーティングシステム。
【発明の詳細な説明】
【技術分野】
【０００１】
本発明は、商品の流通過程で用いられるソーティングシステムに関し、仕分けシステムの技術分野に属する。
【背景技術】
【０００２】
スーパーマーケットやコンビニエンスストア向けの商品配送センター等では、各店舗からの注文に応じて受注商品を受注個数ずつ仕分ける仕分け作業が行われる。この仕分け作業を行うためのシステムに、各商品を搬送しながら各店舗向けのコンテナに受注個数ずつ投入するソーティングシステムがある。
【０００３】
そして、一つの店舗へのコンテナが複数個にわたる場合に、どのコンテナにどの商品が収納されているかを表示して、各店舗における検品作業の効率化を図るものとして、例えば特許文献１に開示のソーティングシステムがある。このソーティングシステムでは、投入された商品で満杯状態となった複数個のコンテナのそれぞれに、その収納商品を表示した納品データラベルが貼付されるようになっている。
【０００４】
一方、同じく一つの店舗へのコンテナが複数個にわたる場合に、配送ミスの防止や出荷管理の厳格化等の目的のため、各コンテナに貼付するラベルにコンテナの個数データを表示するものとして、例えば特許文献２に開示のソーティングシステムがある。このソーティングシステムでは、仕分け作業の終了時に、各店舗に対応付けられた集品部に配置され、商品が投入された複数個のコンテナのそれぞれに、何個口のうちの何個目のコンテナであるかを表示した個数データラベルが貼付されるようになっている。
【０００５】
【特許文献１】特開平８−３１０６２０号公報
【特許文献２】特開平９−１８８４０３号公報
【発明の開示】
【発明が解決しようとする課題】
【０００６】
ところで、前記納品データラベルや個数データラベルを発行するラベルプリンタは、通常決まった場所に固定的に設置されている。したがって、特許文献１に記載のソーティングシステムでは、コンテナが満杯になるたびにラベルが発行されると、一方、特許文献２に記載のソーティングシステムでは、仕分け作業の終了時に、店舗ごとあるいは全店舗についてラベルが発行されると、作業者は、ラベルプリンタにより発行されたラベルを取りに行き、対応するコンテナが配置された集品部を確認の上、当該コンテナにラベルを貼付することになり、作業者の記憶に頼ることになるから、貼付ミス発生のおそれがある。
【０００７】
前記問題に対しては、集品部ごとに店舗名を表示しておけばよいが、固定的な表示形態では、一日の作業においても各集品部の店舗名が変更される場合には対応することができない。それに対しては、集品部ごとに予測される複数の店舗名を表示しておく方法が考えられるが、その場合には作業者の混乱を招きかねないから、やはり貼付ミス発生のおそれがある。
【０００８】
そこで、本発明は、各店舗向けのコンテナに貼付するために発行されたラベルを、該当するコンテナに確実に貼付することができるソーティングシステムの提供を課題とする。
【課題を解決するための手段】
【０００９】
前記課題を解決するため、本発明は次のように構成したことを特徴とする。
【００１０】
まず、請求項１に記載の発明は、各店舗に対応付けられてコンテナが配置された集品部と、コンテナに貼付されるラベルを発行するラベル発行手段と、ラベルの発行を指示するラベル発行指示手段とを有し、各店舗からの受注商品を前記集品部に配置されたコンテナに仕分けるソーティングシステムであって、各集品部に設けられて当該集品部に対応する店舗に関する情報を表示する店舗情報表示手段と、前記ラベル発行指示手段によりラベルの発行が指示されたときに、そのラベルが貼付されるコンテナが配置された集品部の店舗情報表示手段に当該店舗に関する情報を表示させる制御手段とが備えられていることを特徴とする。その場合の店舗情報には、例えば店舗名、店舗コード、配送ルート等が含まれる。
【００１１】
次に、請求項２に記載の発明は、前記請求項１に記載のソーティングシステムにおいて、全店舗の仕分け作業が終了したときに、仕分け作業の終了を指示する全店舗作業終了指示手段が設けられており、前記ラベル発行指示手段は、該全店舗作業終了指示手段で構成されていることを特徴とする。
【００１２】
また、請求項３に記載の発明は、前記請求項１に記載のソーティングシステムにおいて、各集品部に、店舗ごとの仕分け作業が終了したときに、仕分け作業の終了を指示する店舗別作業終了指示手段が設けられており、前記ラベル発行指示手段は、該店舗別作業終了指示手段で構成されていることを特徴とする。
【００１３】
また、請求項４に記載の発明は、前記請求項１に記載のソーティングシステムにおいて、各集品部に、投入された商品でコンテナが満杯状態となったときに、その満杯状態を指示する満杯指示手段が設けられており、前記ラベル発行指示手段は、該満杯指示手段で構成されていることを特徴とする。
【００１４】
そして、請求項５に記載の発明は、前記請求項１から請求項４のいずれかに記載のソーティングシステムにおいて、各集品部に、コンテナへの商品の投入個数を表示する個数表示器が備えられており、前記店舗情報表示手段は、該個数表示器で構成されていることを特徴とする。
【発明の効果】
【００１５】
まず、請求項１に記載の発明によれば、ラベル発行指示手段によりラベルの発行が指示されると、ラベル発行手段によりラベルが発行される。そして、制御手段を備えたことにより、そのラベルが貼付される各店舗に対応付けられた集品部の店舗情報表示手段に、当該店舗に関する情報が表示される。したがって、ラベルと集品部とが自動的に対応付けられるので、作業者は、表示された店舗情報にしたがって、各店舗向けのコンテナに貼付するために発行されたラベルを、該当するコンテナに確実に貼付することができる。
【００１６】
次に、請求項２に記載の発明によれば、全店舗の仕分け作業が終了したときに、全店舗作業終了指示手段により仕分け作業の終了が指示されると、全店舗についてラベルが発行されると共に、対応する各集品部の店舗情報表示手段に店舗情報が表示される。すなわち、この場合には、全店舗の仕分け作業の終了時にラベルの発行及び貼付をまとめて行うことになるが、作業者は、店舗情報表示手段に表示された店舗情報にしたがって、これらのラベルを、対応する各集品部の商品が投入されたコンテナに確実に貼付することができる。
【００１７】
また、請求項３に記載の発明によれば、店舗ごとの仕分け作業が終了したときに、店舗別作業終了指示手段により仕分け作業の終了が指示されると、当該店舗についてラベルが発行されると共に、対応する集品部の店舗情報表示手段に店舗情報が表示される。すなわち、この場合には、各店舗の仕分け作業の終了時にラベルの発行及び貼付を行うことになるが、作業者は、店舗情報表示手段に表示された店舗情報にしたがって、これらのラベルを、対応する集品部の商品が投入されたコンテナに確実に貼付することができる。さらに、各集品部に作業終了指示手段が備えられているので、店舗ごとの仕分け作業が終了すると、作業者は、仕分け作業の終了を速やかに指示することができる。
【００１８】
また、請求項４に記載の発明によれば、投入された商品でコンテナが満杯状態となったときに、満杯指示手段により満杯状態が指示されると、当該コンテナについてラベルが発行されると共に、対応する集品部の店舗情報表示手段に店舗情報が表示される。すなわち、この場合には、コンテナが満杯になるたびにラベルの発行及び貼付を行うことになるが、作業者は、店舗情報表示手段に表示された店舗情報にしたがって、このラベルを、対応する集品部の商品が投入されたコンテナに確実に貼付することができる。さらに、各集品部に満杯指示手段が備えられているので、コンテナが満杯状態になると、作業者は、満杯状態になったことを速やかに指示することができる。
【００１９】
そして、請求項５に記載の発明によれば、集品部に備えられた個数表示器に店舗情報表示手段の役割を兼ねさせるので、システムの複雑化が回避される。
【発明を実施するための最良の形態】
【００２０】
以下、本発明の実施の形態について説明する。
【００２１】
図１に示すように、本発明の第１の実施の形態に係るソーティングシステムは、商品を品目別に台車１…１に積み込んで搬送する複数列（図例では３列）の商品搬送経路２…２を有し、これらの商品搬送経路２…２の両側に、店舗別に商品を集品する多数の集品部３…３が列状に配設されている。また、各商品搬送経路２の始端部近傍に、操作卓４とラベルプリンタ５とが配置されている。
【００２２】
図２に示すように、各集品部３には、店舗ごとに受注商品を集品して配送するためのコンテナＸ…Ｘが配置されている。また、上方のフレーム６には、各集品部３に対応して、コンテナＸへの商品の投入を指示する投入指示ランプ７と、投入個数あるいは店舗情報を表示する個数表示器８と、投入完了時に押下する完了ボタン９とを有する表示ユニット１０が備えられている。そして、表示ユニット１０の両側方に、コンテナＸが投入された商品で満杯状態となったときに押下する満杯ボタン１１と、全店舗の仕分け作業が終了したときに押下する作業終了ボタン１２とがそれぞれ備えられている。なお、前記店舗情報には、例えば店舗名、店舗コード、配送ルート等が含まれる。
【００２３】
そして、このソーティングシステムを統括する制御システムが備えられている。図３に示すように、この制御システムは、商品配送センターのホストコンピュータ２０に接続されてシステム全体の管理を行うシステムコントローラ２１を有し、このシステムコントローラ２１に、前記ホストコンピュータ２０から伝送された店舗ごとの受注個数、商品名、商品コード等の仕分けデータや、コンテナＸへの商品投入データを記憶するためのメモリ２２が設けられている。
【００２４】
また、システムコントローラ２１には、前記商品搬送経路２ごとに、操作卓４及びラベルプリンタ５に加えて表示コントローラ２３が接続されており、この表示コントローラ２３に、各集品部３に対応した表示ユニット１０と満杯ボタン１１と作業終了ボタン１２とが接続されている。また、システムコントローラ２１は、満杯ボタン１１が押下された回数をカウントするカウンタとして機能すると共に、コンテナ別納品データを生成する。
【００２５】
そして、ラベルプリンタ５は、図４に示す納品データラベルＹを発行する。この納品データラベルＹには、符号ｙ１で示す納品先の店舗名と、符号ｙ２で示す二次元バーコードで印字されたコンテナ別納品データと、符号ｙ３で示す店舗コードと、符号ｙ４で示す配送ルートと、符号ｙ５で示すコンテナ番号と、符号ｙ６で示すコンテナ個数データとが印字されている。なお、この実施の形態では、図２に示すように、納品データラベルＹは、全店舗の仕分け作業が終了したときに一括して発行されると共に該当するコンテナＸに貼付される。
【００２６】
ここで、このソーティングシステムにおける作業手順の一例を、図５に基づいて説明する。なお、図５に示すフローチャートは、特定の店舗に対応する一つの集品部３に着目したときの作業に関するものである。
【００２７】
まず、ステップＳ１で、作業開始時に、システムコントローラ２１に付設されたメモリ２２の店舗ごとの商品投入データの仮記憶領域がクリアされ、ステップＳ２で、満杯ボタン１１が押下された回数をカウントするカウンタのカウント値Ｎがリセットされ、ステップＳ３で、作業者により、当該店舗の集品部３にコンテナＸがセットされる。
【００２８】
次に、ステップＳ４で、今回ソーティングしようとする商品のコード番号が当該集品部３に対応する商品搬送経路２の操作卓４に入力されることにより、この集品部３に商品の受注があれば、表示コントローラ２３により表示ユニット１０の投入指示ランプ７が点灯され、また、個数表示器８にコンテナＸへの商品の投入個数が表示される。図６に示すように、表示ユニット１０の個数表示器８は、セグメント表示により４桁の数字あるいは特定の文字が表示される構成のもので、図例では、コンテナＸへの商品の投入個数が表示された様子を示す。
【００２９】
次に、ステップＳ５で、作業者は、台車１で搬送している商品を、前記個数表示器８の表示個数だけコンテナＸに投入し、完了ボタン９を押下する。このとき、表示コントローラ２３により、個数表示器８の表示が消去され、投入指示ランプ７が消灯され、投入完了信号がシステムコントローラ２１に送信される。
【００３０】
次に、ステップＳ６で、投入完了信号を受信したシステムコントローラ２１により、コンテナＸに投入された商品の品目名、個数等の商品投入データがメモリ２２に仮記憶される。
【００３１】
次に、ステップＳ７で、今回の商品で当該店舗向けの全受注商品のソーティングが終了したか否かが判定され、終了していない場合には、ステップＳ８で、今回の商品の投入によってコンテナＸが満杯になったか否かが判定される。そして、コンテナＸが満杯になっていない場合には、次回の商品について前記ステップＳ４〜Ｓ７が繰り返されることになる。
【００３２】
このようにして、当該集品部３のコンテナＸに各商品が投入されてコンテナＸが満杯になったことが確認されると、ステップＳ９で、作業者により、満杯ボタン１１が押下される。このとき、押下信号がシステムコントローラ２１に送信され、ステップＳ１０で、カウンタのカウント値Ｎをインクリメントし、且つステップＳ１１で、メモリ２２に仮記憶されている商品投入データに基づいて、満杯になったコンテナＸの番号と投入された商品の品目名、個数等の商品投入データとでなるコンテナ別納品データが生成されると共に、ステップＳ１２で、メモリ２２における商品投入データの仮記憶領域がクリアされる。
【００３３】
次に、ステップＳ１３で、当該集品部３に対応する店舗からの全受注商品についてのソーティングが終了しているか否かが判定され、終了していない場合には、ステップＳ３に戻り、この集品部３に新たなコンテナＸがセットされると共に、ステップＳ４以降が繰り返される。
【００３４】
このようにして、ステップＳ７で、全受注商品についてのソーティングが終了したと判定されると、ステップＳ１０〜Ｓ１２が実行される。すなわち、最後に商品が投入されたコンテナＸが満杯であるか否かに拘わらず、カウンタのカウント値Ｎをインクリメントし、このコンテナＸに投入された商品についての商品投入データに基づいてコンテナ別納品データが生成される。
【００３５】
次に、前記ステップＳ１３を経たのち、ステップＳ１４で、全店舗のソーティングが終了したと判定されると、例えば各集品部３の表示ユニット１０の投入指示ランプ７を点滅させることにより、全店舗のソーティングが終了したことを報知するようにしておけば、作業者は、これを認識した上で、ステップＳ１５で、投入指示ランプ７が点滅中のいずれかの集品部３の作業終了ボタン１２を押下する。
【００３６】
次に、ステップＳ１６で、生成されたコンテナ別納品データは、システムコントローラ２１からラベルプリンタ５に出力され、ステップＳ１７で、ラベルプリンタ５により、前記ステップＳ１０におけるカウンタのカウント値Ｎに基づいて、全店舗につき、店舗ごとにコンテナＸ…Ｘの全個数と同枚数の納品データラベルＹ…Ｙが発行されると共に、ステップＳ１８で、各店舗に対応する各集品部３の個数表示器８に、各店舗に関する店舗情報が表示される。図７は、個数表示器８に、前記納品データラベルＹの符号ｙ３で示すと同じ店舗コードが表示された様子を示し、図８は、個数表示器８に、前記納品データラベルＹの符号ｙ４で示すと同じ配送ルートが表示された様子を示す。
【００３７】
そして、ステップＳ１９で、個数表示器８に表示された店舗情報にしたがって、各納品データラベルＹが各コンテナＸに貼付されて、全店舗についての全ての作業が終了する。
【００３８】
以上のように構成したことにより、まず、作業終了ボタン１２により納品データラベルＹの発行が指示されると、ラベルプリンタ５により納品データラベルＹが発行される。そして、システムコントローラ２１を備えたことにより、その納品データラベルＹが貼付される各店舗に対応付けられた集品部３の店舗情報表示手段としての個数表示器８に、当該店舗に関する情報が表示される。したがって、納品データラベルＹと集品部３とが自動的に対応付けられるので、作業者は、表示された店舗情報にしたがって、各店舗向けのコンテナＸに貼付するために発行された納品データラベルＹを、該当するコンテナＸに確実に貼付することができる。
【００３９】
すなわち、本実施の形態によれば、全店舗の仕分け作業が終了したときに、全店舗作業終了指示手段としての作業終了ボタン１２により仕分け作業の終了が指示されると、全店舗について納品データラベルＹ…Ｙが発行されると共に、対応する各集品部３の個数表示器８に店舗情報が表示される。すなわち、この場合には、全店舗の仕分け作業の終了時に納品データラベルＹ…Ｙの発行及び貼付をまとめて行うことになるが、作業者は、個数表示器８に表示された店舗コードや配送ルートのような店舗情報にしたがって、これらの納品データラベルＹ…Ｙを、対応する各集品部３の商品が投入されたコンテナＸ…Ｘに確実に貼付することができる。
【００４０】
そして、集品部３に備えられた個数表示器８に店舗情報表示手段の役割を兼ねさせるので、システムの複雑化が回避される。
【００４１】
次に、本発明の第２の実施の形態について説明する。
【００４２】
この場合には、図１〜３に示したと同じ構成とされる一方、前記第１の実施の形態と異なり、各店舗の仕分け作業の終了時に図４に示した納品データラベルＹの発行及び貼付を行うものである。
【００４３】
すなわち、図９に示すように、この場合の作業手順では、ステップＳ３３〜Ｓ３８が実行される。なお、図示を省略したステップＳ２１〜Ｓ３２は、前述した図５のステップＳ１〜Ｓ１２と同じである。
【００４４】
ステップＳ３３で、当該集品部３に対応する店舗からの全受注商品についてのソーティングが終了しているか否かが判定され、終了していない場合には、図示しないステップＳ２３（ステップＳ３）に戻り、この集品部３に新たなコンテナＸがセットされると共に、ステップＳ２４（ステップＳ４）以降が繰り返される。
【００４５】
そして、前記ステップＳ３３で、当該店舗のソーティングが終了したと判定されると、例えばこの集品部３の表示ユニット１０の投入指示ランプ７を点滅させることにより、この店舗のソーティング作業が終了したことを報知するようにしておけば、作業者は、これを認識した上で、ステップＳ３４で、投入指示ランプ７が点滅中の集品部３の作業終了ボタン１２を押下する。
【００４６】
次に、ステップＳ３５で、生成されたコンテナ別納品データは、システムコントローラ２１からラベルプリンタ５に出力され、ステップＳ３６で、ラベルプリンタ５により、ステップＳ３０（ステップＳ１０）におけるカウンタのカウント値Ｎに基づいて、この店舗向けのコンテナＸ…Ｘの全個数と同枚数の納品データラベルＹ…Ｙが発行されると共に、ステップＳ３７で、この店舗に対応する集品部３の個数表示器８に、当該店舗に関する店舗情報が表示される。
【００４７】
そして、ステップＳ３８で、個数表示器８に表示された店舗情報にしたがって、各納品データラベルＹが各コンテナＸに貼付されて、この店舗についての全ての作業が終了する。
【００４８】
以上のように構成したことにより、店舗ごとの仕分け作業が終了したときに、店舗別作業終了指示手段としての作業終了ボタン１２により仕分け作業の終了が指示されると、当該店舗について納品データラベルＹ…Ｙが発行されると共に、対応する集品部３の個数表示器８に店舗情報が表示される。すなわち、この場合には、各店舗の仕分け作業の終了時に納品データラベルＹ…Ｙの発行及び貼付を行うことになるが、作業者は、個数表示器８に表示された店舗情報にしたがって、これらの納品データラベルＹ…Ｙを、対応する集品部３の商品が投入されたコンテナＸ…Ｘに確実に貼付することができる。さらに、各集品部３に作業終了ボタン１２が備えられているので、店舗ごとの仕分け作業が終了すると、作業者は、仕分け作業の終了を速やかに指示することができる。
【００４９】
次に、本発明の第３の実施の形態について説明する。
【００５０】
この場合には、前記第１及び第２の実施の形態と異なり、コンテナＸが満杯になるたびに納品データラベルの発行及び貼付を行うものである。
【００５１】
すなわち、図１０に示すように、フレーム６に、各集品部３′に対応して、コンテナＸへの商品の投入を指示する投入指示ランプ７と、投入個数あるいは店舗情報を表示する個数表示器８と、投入完了時に押下する完了ボタン９とを有する表示ユニット１０が備えられている。そして、表示ユニット１０の側方に、コンテナＸが投入された商品で満杯状態となったときに押下する満杯ボタン１１が備えられている。
【００５２】
また、図１１に示す納品データラベルＺには、符号ｚ１で示す納品先の店舗名と、符号ｚ２で示す二次元バーコードで印字されたコンテナ別納品データと、符号ｚ３で示す店舗コードと、符号ｚ４で示す配送ルートと、符号ｚ５で示すコンテナ番号とが印字されている。そして、図１０に示すように、この納品データラベルＺは、コンテナＸが満杯状態になるたびに発行及び貼付される。
【００５３】
ここで、このソーティングシステムにおける作業手順の一例を、図１２に基づいて説明する。
【００５４】
まず、ステップＳ４１で、作業開始時に、システムコントローラ２１に付設されたメモリ２２の店舗ごとの商品投入データの仮記憶領域がクリアされ、ステップＳ４２で、作業者により、当該店舗の集品部３′にコンテナＸがセットされる。
【００５５】
次に、ステップＳ４３で、今回ソーティングしようとする商品のコード番号が当該集品部３′に対応する商品搬送経路２の操作卓４に入力されることにより、この集品部３′に商品の受注があれば、表示コントローラ２３により表示ユニット１０の投入指示ランプ７が点灯され、また、個数表示器８にコンテナＸへの商品の投入個数が表示される。
【００５６】
次に、ステップＳ４４で、作業者は、台車１で搬送している商品を、前記個数表示器８の表示個数だけコンテナＸに投入し、完了ボタン９を押下する。このとき、表示コントローラ２３により、個数表示器８の表示が消去され、投入指示ランプ７が消灯され、投入完了信号がシステムコントローラ２１に送信される。
【００５７】
次に、ステップＳ４５で、投入完了信号を受信したシステムコントローラ２１により、コンテナＸに投入された商品の品目名、個数等の商品投入データがメモリ２２に仮記憶される。
【００５８】
次に、ステップＳ４６で、今回の商品で当該店舗向けの全受注商品のソーティングが終了したか否かが判定され、終了していない場合には、ステップＳ４７で、今回の商品の投入によってコンテナＸが満杯になったか否かが判定される。そして、コンテナＸが満杯になっていない場合には、次回の商品について前記ステップＳ４３〜Ｓ４６が繰り返されることになる。
【００５９】
このようにして、当該集品部３のコンテナＸに各商品が投入されてコンテナＸが満杯になったことが確認されると、ステップＳ４８で、作業者により、満杯ボタン１１が押下される。このとき、押下信号がシステムコントローラ２１に送信され、ステップＳ４９で、メモリ２２に仮記憶されている商品投入データに基づいて、満杯になったコンテナＸの番号と投入された商品の品目名、個数等の商品投入データとでなるコンテナ別納品データが生成されると共に、ステップＳ５０で、メモリ２２における商品投入データの仮記憶領域がクリアされる。
【００６０】
次に、ステップＳ５１で、生成されたコンテナ別納品データは、システムコントローラ２１からラベルプリンタ５に出力され、ステップＳ５２で、ラベルプリンタ５により、当該コンテナＸに対する納品データラベルＺが発行されると共に、ステップＳ５３で、この集品部３′の個数表示器８に、当該店舗に関する店舗情報が表示される。
【００６１】
次に、ステップＳ５４で、個数表示器８に表示された店舗情報にしたがって、納品データラベルＺがコンテナＸに貼付される。
【００６２】
次に、ステップＳ５５で、当該集品部３′に対応する店舗からの全受注商品についてのソーティングが終了しているか否かが判定され、終了していない場合には、ステップＳ４２に戻り、この集品部３′に新たなコンテナＸがセットされると共に、ステップＳ４３以降が繰り返される。
【００６３】
このようにして、ステップＳ４６で、全受注商品についてのソーティングが終了したと判定されると、ステップＳ４９〜Ｓ５４が実行される。すなわち、最後に商品が投入されたコンテナＸが満杯であるか否かに拘わらず、このコンテナＸに投入された商品についての商品投入データに基づいてコンテナ別納品データが生成され、納品データラベルＺが発行され、この納品データラベルＺがコンテナＸに貼付される。そして、前記ステップＳ５５を経たのち、この店舗についての全ての作業が終了する。
【００６４】
以上のように構成したことにより、投入された商品でコンテナＸが満杯状態となったときに、満杯ボタン１１により満杯状態が指示されると、当該コンテナＸについて納品データラベルＺが発行されると共に、対応する集品部３′の個数表示器８に店舗情報が表示される。すなわち、この場合には、コンテナＸが満杯になるたびに納品データラベルＺの発行及び貼付を行うことになるが、作業者は、個数表示器８に表示された店舗情報にしたがって、この納品データラベルＺを、対応する集品部３′の商品が投入されたコンテナＸに確実に貼付することができる。さらに、各集品部３に満杯ボタン１１が備えられているので、コンテナＸが満杯状態になると、作業者は、満杯状態になったことを速やかに指示することができる。
【００６５】
なお、本発明は、具体的に詳述した前記実施の形態に限定されることはなく、本発明の趣旨に沿うものであればよい。
【００６６】
例えば、前記第１及び第２の実施の形態では、各集品部３に作業終了ボタン１２を設け、この作業終了ボタン１２を押下することにより全店舗あるいは各店舗の仕分け作業の終了を指示したが、各表示ユニット１０の完了ボタン９を再度押下することにより仕分け作業の終了を指示するように構成してもよい。
【００６７】
また、前記第１の実施の形態では、作業終了ボタン１２を集品部３に設けたが、操作卓４に設けてもよいし、ラベルプリンタ５に設けてもよい。
【００６８】
また、前記第１〜第３の実施の形態では、表示ユニット１０の個数表示器８に店舗情報を表示したが、専用の表示器を設けてもよい。
【００６９】
そして、前述したソーティングシステムにおける商品搬送経路２…２、集品部３…３等のレイアウトは一例であって、適宜変更可能である。
【産業上の利用可能性】
【００７０】
以上説明したように、本発明によれば、各店舗向けのコンテナに貼付するために発行されたラベルを、該当するコンテナに確実に貼付することができるソーティングシステムが提供され、仕分けシステムの技術分野に広く好適である。
【図面の簡単な説明】
【００７１】
【図１】本発明の第１の実施の形態に係るソーティングシステムの全体構成を示す概略平面図である。
【図２】同じく集品部の正面図である。
【図３】同じく制御システムを示すブロック図である。
【図４】同じく納品データラベルの一例を示す図である。
【図５】同じく作業手順を示すフローチャートである。
【図６】同じく個数表示器に投入個数が表示された様子を示す図である。
【図７】同じく個数表示器に店舗情報の一例として店舗コードが表示された様子を示す図である。
【図８】同じく個数表示器に店舗情報の一例として配送ルートが表示された様子を示す図である。
【図９】本発明の第２の実施の形態に係るソーティングシステムにおける作業手順を示すフローチャートの一部分である。
【図１０】本発明の第３の実施の形態に係るソーティングシステムにおける集品部の正面図である。
【図１１】同じく納品データラベルの一例を示す図である。
【図１２】同じく作業手順を示すフローチャートである。
【符号の説明】
【００７２】
３，３′    集品部
５      ラベルプリンタ（ラベル発行手段）
８      個数表示器（店舗情報表示手段）
１１    満杯ボタン（満杯指示手段）
１２    作業終了ボタン（全店舗作業終了指示手段、店舗別作業終了指示手段）
２１    システムコントローラ（制御手段）
Ｘ      コンテナ
Ｙ，Ｚ      納品データラベル（ラベル）
【図１】
2009023835.tif 000003
【図２】
2009023835.tif 000004
【図３】
2009023835.tif 000005
【図４】
2009023835.tif 000006
【図５】
2009023835.tif 000007
【図６】
2009023835.tif 000008
【図７】
2009023835.tif 000009
【図８】
2009023835.tif 000010
【図９】
2009023835.tif 000011
【図１０】
2009023835.tif 000012
【図１１】
2009023835.tif 000013
【図１２】
2009023835.tif 000014